(57)【要約】      （修正有）【課題】構造がコンパクト且つ合理的であり、操作しやすく、手に持つことも、置いたり引っ掛けたりして使うこともできる。また、防水性能が高く、屋外での使用に適している、伸長式の屋外用筒型防水ランプを提供する。【解決手段】伸長式の屋外用筒型防水ランプは、ランプ筒１と、ランプ体２と、ランプ蓋３と、を含む。ランプ蓋は、ランプ体の上端に設置される。ランプ体は、ランプ筒内に上下に伸縮可能に設置される。ランプ体の底部には、スイッチ台２４が設けられており、スイッチ台内には、ランプのオン・オフを制御する微動スイッチが設置されている。ランプ筒内の底面には、微動スイッチ２５と係合するバネが設けられている。ランプ体が引き上げられて伸長した時、微動スイッチとバネ１４が離れ、照明回路が繋がり、ランプ体がランプ筒内に引っ込められた時、微動スイッチとバネが当接して、照明回路が遮断される。【選択図】図５
0003235207.tif 000002
【実用新案登録請求の範囲】
【請求項１】
ランプ筒と、
前記ランプ筒内に上下に伸縮可能に設置され、底部にスイッチ台が設けられたランプ体と、
前記ランプ体の上端に設置されたランプ蓋と、
を含み、
前記スイッチ台内には、ランプのオン・オフを制御する微動スイッチが設置され、前記ランプ筒内の底面には、前記微動スイッチと係合するバネが設けられており、前記ランプ体が引き上げられて伸長した時に、前記微動スイッチと前記バネが離れ、照明回路が繋がり、前記ランプ体が前記ランプ筒内に引っ込められた時に、前記微動スイッチと前記バネが当接して、前記照明回路が遮断される、
ことを特徴とする、伸長式の屋外用筒型防水ランプ。
【請求項２】
前記ランプ筒は、上下が開口した円筒形の構造であり、下端には、底蓋が密封状態で接続されており、
前記バネは、前記底蓋の上端面の中心位置にあるバネ孔内に設置され、
前記ランプ体は、円筒形のランプカバーと、ランプフレームと、下端に前記微動スイッチが設置されたランプ管と、を含み、前記ランプカバー、前記ランプフレーム、前記ランプ管は、外側から内側にこの順で配置され、且つ同軸に設けられており、
前記ランプカバー、前記ランプフレーム、及び前記ランプ管は、組み立られた後、上端にある前記ランプ蓋と固定される、
ことを特徴とする、請求項１に記載の伸長式の屋外用筒型防水ランプ。
【請求項３】
前記ランプフレームは、底部に円形の円形底板を有し、中心部が中空円柱を有する構造であり、
前記ランプ管は、前記ランプフレームの中心部の前記中空円柱内に挿入され、
前記ランプカバーの下端には、外径が小さくなった挿入部分が成型されており、前記ランプフレームの前記円形底板の外周には、前記ランプカバーの前記挿入部分を差し込んで位置決めするための環形凹溝が成型されており、
前記挿入部分の外側の段差面と前記環形凹溝の上端面との間に、前記ランプ筒の内壁と当接する第１シールリングが嵌め込まれている、
ことを特徴とする、請求項２に記載の伸長式の屋外用筒型防水ランプ。
【請求項４】
前記ランプカバーの上端及び前記ランプフレームの上端には、円形の接続蓋が突合して設置され、
前記接続蓋の上端の中心部には、凹んだ円形溝が成型されており、前記円形溝は、下方に突出して、前記ランプカバーの上端が外嵌する円形凸部を形成し、
前記円形溝の中心部には、前記ランプフレームの中心部の前記中空円柱に対応する中空部が形成されており、
前記ランプフレームの中心部の前記中空円柱の上端には、接続孔が形成され、前記接続蓋には、前記接続孔に対応する挿通孔が形成され、前記接続蓋は、前記ランプカバーの上端及び前記ランプフレームの上端に設置されて、ネジにより前記ランプフレームと固定され、
前記接続蓋の上端面には、前記ランプ蓋と接続される接続柱が周方向に突設されており、前記ランプ蓋には、前記接続柱に対応する接続挿通孔が形成されており、前記接続蓋は、ネジにより前記ランプ蓋の下端面に接続され、
前記ランプ筒の上端面の外縁には、環形段差が凹設されており、前記ランプ体が前記ランプ筒内に引っ込められた時に、前記ランプ蓋は、前記ランプ筒の前記環形段差とぴったりと突合して前記ランプ筒を覆う、
ことを特徴とする、請求項３に記載の伸長式の屋外用筒型防水ランプ。
【請求項５】
前記ランプ蓋の上端には、円形凹状空洞部が形成されており、前記円形凹状空洞部の中心部には、電池を入れる四角形の電池ボックスが設けられており、前記電池は前記電池ボックス内に入れられ、回路板、前記ランプ管、及び前記微動スイッチと電気的に接続されて、前記照明回路を構成する、
ことを特徴とする、請求項４に記載の伸長式の屋外用筒型防水ランプ。
【請求項６】
前記ランプ蓋の上端には、雌ネジ山接続部分が成型されており、
前記ランプ蓋の上端には、前記ランプ蓋の前記雌ネジ山接続部分と対応する雄ネジ山接続部分が設けられた天井蓋が密封状態で接続され、
前記雌ネジ山接続部分の上端外周には、縮径段差が設けられており、
前記天井蓋の上方には、装飾蓋が設けられ、前記装飾蓋は、前記天井蓋の外側にある前記ランプ蓋を覆って前記縮径段差と当接し、
前記ランプ蓋の上端と前記天井蓋の外壁、前記装飾蓋の内壁との間には、第２シールリングが設けられている、
ことを特徴とする、請求項５に記載の伸長式の屋外用筒型防水ランプ。
【請求項７】
前記ランプ筒の上端開口の箇所には、内側に折り返されたストッパーリングが設けられており、前記ストッパーリングには、ガイド溝が縦方向に形成されており、
前記ランプカバーの外周面には、前記ガイド溝に対応するガイドリブが縦方向に突設されており、
前記ランプフレームの前記円形底板の外径は、前記ストッパーリングの内径よりも大きく、前記ランプ筒の内径と適合し、前記ランプ体を引き上げて伸長させた時に、前記ランプフレームの前記円形底板と前記ストッパーリングとが当接することにより、前記ランプ体の移動が制限される、
ことを特徴とする、請求項３に記載の伸長式の屋外用筒型防水ランプ。
【請求項８】
前記ランプカバーは透明のカバーであり、前記ランプカバーの上端の外側には、前記ランプ筒の前記ストッパーリングと係合する弾性止め輪が設けられている、
ことを特徴とする、請求項７に記載の伸長式の屋外用筒型防水ランプ。
【請求項９】
前記底蓋は、外蓋と内蓋とから成り、前記外蓋には、前記ランプ筒の下端の外周に設けられた雄ネジ山と対応する雌ネジ山が設けられており、前記底蓋は、螺合により前記ランプ筒の下端に固定され、前記ランプ筒の下端の側壁と前記底蓋との間には、第３シールリングが設けられている、
ことを特徴とする、請求項２〜８のいずれか１項に記載の伸長式の屋外用筒型防水ランプ。
【請求項１０】
前記ランプ蓋の上端には、持ち手が左右に１つずつ設けられており、それぞれ前記ランプ蓋の上端の左側、右側に１８０度回動可能に取り付けられている、
ことを特徴とする、請求項１〜８のいずれか１項に記載の伸長式の屋外用筒型防水ランプ。
【考案の詳細な説明】
【技術分野】
【０００１】
本考案は、照明器具の技術分野に属し、具体的には伸長式の屋外用筒型防水ランプに関する。
【背景技術】
【０００２】
作業用ランプは、照明道具として多くの消費者に人気がある。従来の作業用ランプのほとんどは、懐中電灯式を採用しているが、照明時に作業用ランプを手に持つ必要があり、両手で作業しなければならない場合、非常に使いにくい。この他にも、ヘッドランプ式を採用した作業用ランプがあり、作業用ランプを頭に載せると、手が自由になって作業ができるが、このようなランプは、使用者の移動にあわせてランプも移動するので、一つの特定の位置を精確に照明することができない。
【０００３】
調査によると、中国実用新案登録第２０１０２０２６３９８８．８号（中国実用新案公告第２０１７４８１７１号）の「手提げ式の応急時作業用ランプ」に開示されている作業用ランプは、ランプ体とフレームとを含み、ランプ体には取手が接続され、フレームは、作業台の上に置かれる。このようなランプは、手に提げて使うことも、置いて使うこともできるが、引っ掛けて使うことはできず、照明の効果もあまり理想的ではない。
【０００４】
また、中国実用新案登録第２０１９２０１６８７１０．３号（中国実用新案公告第２０９８３９７４６号）の「ＬＥＤフィラメント照明を採用した手提げ式筒型ランプ」に開示されている筒型ランプは、透明の筒体を含み、透明の筒体の上端、下端にはそれぞれ、天台と底台が取り付けられている。天台の左端、右端の対称となる位置には、それぞれ固定台が溶接されている。天台には、持ち手が取り付けられており、持ち手には、挿通孔が形成されている。持ち手は、挿通孔を介して固定台に外嵌して接続される。天台には、フックが取り付けられている。底台の上端には、フレームが固定されており、フレームにはＬＥＤフィラメント本体が固定されている。ＬＥＤフィラメント本体は、ゴムカバーと、ＬＥＤチップと、第２ガイドワイヤと、を含む。底台の内部には、充電式電池が取り付けられており、充電式電池の左端には充電ポートが形成されている。底台の前端には、スイッチが取り付けられており、スイッチの出力端と充電式電池の入力端が電気的に接続されている。このような作業用ランプは、水平な作業台の上に置いて使用することも、手に提げて使用することもできるが、防水性能が悪く、屋外で使用することはできない。
【考案の概要】
【考案が解決しようとする課題】
【０００５】
本考案が解決しようとする技術的課題は、上述の技術的現状に対し、構造がコンパクト且つ合理的であり、使いやすく、防水性能が高い伸長式の屋外用筒型防水ランプを提供することである。
【課題を解決するための手段】
【０００６】
本考案が上述の技術的問題を解決するために採用した技術的手段は、伸長式の屋外用筒型防水ランプであって、以下を特徴とする。伸長式の屋外用筒型防水ランプは、ランプ筒と、ランプ体と、ランプ蓋と、を含む。ランプ蓋は、ランプ体の上端に設置される。ランプ体は、ランプ筒内に上下に伸縮可能に設置される。ランプ体の底部には、スイッチ台が設けられており、スイッチ台内には、ランプのオン・オフを制御する微動スイッチが設置されている。ランプ筒内の底面には、微動スイッチと係合するバネが設けられている。ランプ体が引き上げられて伸長した時、微動スイッチとバネが離れ、照明回路が繋がり、ランプ体がランプ筒内に引っ込められた時、微動スイッチとバネが当接して、照明回路が遮断される。
【０００７】
改良として、ランプ筒は、上下が開口した円筒形の構造であり、ランプ筒の下端には、底蓋が密封状態で接続されている。バネは底蓋の上端面の中心位置に設置される。ランプ体は、円筒形のランプカバーと、ランプフレームと、ランプ管と、を含む。ランプカバー、ランプフレーム、ランプ管は、外側から内側にこの順で配置され、且つ同軸に設けられている。ランプカバー、ランプフレーム、及びランプ管は組み立てられた後、上端にあるランプ蓋と固定される。微動スイッチは、ランプ管の下端に設置される。
【０００８】
更なる改良として、ランプフレームは、底部が円形、中心部が中空円柱の構造であり、ランプ管は、ランプフレームの中心部の中空円柱内に挿入される。ランプカバーの下端には、外径が小さくなった挿入部分が成型されており、ランプフレームの円形底板の外周には、ランプカバーの挿入部分を差し込んで位置決めするための環形凹溝が成型されている。挿入部分の外側の段差面と環形凹溝の上端面との間には、ランプ筒の内壁と当接する第１シールリングが嵌め込まれている。
【０００９】
さらに、ランプカバーの上端及びランプフレームの上端には、円形の接続蓋が突合して設置されている。接続蓋の上端の中心部には、凹んだ円形溝が成型されており、円形溝は、下方に突出して、ランプカバーの上端が外嵌する円形凸部を形成している。円形溝の中心部には、ランプフレームの中心部の中空円柱と対応する中空部が形成されている。ランプフレームの中心部の中空円柱の上端には、接続孔が形成されており、接続蓋には、接続孔に対応する挿通孔が形成されていて、接続蓋は、ランプカバーの上端及びランプフレームの上端に設置されて、ネジによりランプフレームと固定される。接続蓋の上端面には、ランプ蓋と接続される接続柱が周方向に突設され、ランプ蓋には、接続柱に対応する接続挿通孔が形成され、接続蓋は、ネジによりランプ蓋の下端面に固定される。ランプ筒の上端面の外縁には、環形段差が凹設されており、ランプ体がランプ筒内に引っ込められた時に、ランプ蓋は、ランプ筒の環形段差にぴったりと突合して、ランプ筒を覆う。
【００１０】
またさらに、ランプ蓋の上端には、円形凹状空洞部が形成されており、円形凹状空洞部の中心部には、電池を入れる四角形の電池ボックスが設けられている。電池は、電池ボックス内に入れられ、回路板、ランプ管、及び微動スイッチと電気的に接続されて、照明回路を構成する。
【００１１】
またさらに、ランプ蓋の上端には、天井蓋が密封状態で接続されている。ランプ蓋の上端には、雌ネジ山接続部分が成型されており、雌ネジ山接続部分の上端外周には、縮径段差が設けられている。天井蓋には、ランプ蓋の雌ネジ山接続部分に対応する雄ネジ山接続部分が設けられている。天井蓋の上方には、装飾蓋が設けられており、装飾蓋は、天井蓋の外側にあるランプ蓋を覆って、縮径段差と当接する。ランプ蓋の上端と天井蓋の外壁、装飾蓋の内壁との間には、第２シールリングが設けられる。
【００１２】
さらに、ランプ筒の上端開口の箇所には、内側に折り返されたストッパーリングが設けられており、ストッパーリングには、ガイド溝が縦方向に形成されている。ランプカバーの外周面には、ガイド溝に対応するガイドリブが縦方向に突設されている。ランプフレームの円形底板の外径は、ストッパーリングの内径より大きく、ランプ筒の内径と適合し、ランプ体を引き上げて伸長させた時に、ランプフレームの円形底板とストッパーリングが当接し、ランプ体の移動が制限される。
【００１３】
またさらに、ランプカバーは透明のカバーであり、ランプカバーの上端の外側には、ランプ筒のストッパーリングと係合する弾性止め輪が設けられている。
【００１４】
さらに、底蓋は、外蓋と内蓋から成る。ランプ筒の下端の外周には、雄ネジ山が設けられており、外蓋には、雄ネジ山に対応する雌ネジ山が設けられていて、底蓋は、螺合により、ランプ筒の下端に固定される。ランプ筒の下端の側壁と底蓋との間には、第３シールリングが設けられている。
【００１５】
好ましくは、ランプ蓋の上端には、持ち手が左右に１つずつ設けられており、それぞれランプ蓋の上端の左側、右側に１８０度回動可能に取り付けられている。
【考案の効果】
【００１６】
既存の技術と比較した本考案の特長は以下である。ランプ体はランプ筒内に設置され、且つ伸長可能である。ランプ体が引き出された時、ランプはオンになり、ランプ体が引っ込められた時、ランプはオフになる。このように、操作が非常に簡単であり、ケーシングにスイッチ紐を設ける必要がないため、防水性が高まる。電池は、ランプ蓋内に設置されるので、電池が水に浸って濡れるのを防止することができる。ランプ蓋上に天井蓋が設置され、天井蓋上に装飾蓋及びシールリングが設けられていることにより、二重の防水効果を奏し、水の侵入を防ぐことができる。ランプ体の底部にシールリングを設置することで、ランプ体が引き出された時、ランプ筒に水が入るのを防ぐ。底蓋とランプ筒とは、螺合により接続され、さらにシールリングが設けられているため、底部に水が入るのを防ぐことができる。ランプ蓋には、持ち手が設けられており、簡単に手で提げたり、引っ掛けたりして使用することができる。本考案の構造は、コンパクト且つ合理的であり、操作しやすく、手に持って使うことも、置いたり引っ掛けたりして使うこともできる。また、防水性能が高く、屋外での使用に適している。
【図面の簡単な説明】
【００１７】
【図１】本考案の実施例のランプ体が引っ込んだ状態の構造を示す模式図。
【図２】図１のランプの縦方向断面図。
【図３】本考案の実施例のランプ体が引き出された状態の構造を示す模式図。
【図４】図１のランプの分解図。
【図５】ランプ体が引っ込んだ状態のバネと微動スイッチの係合を示す断面図。
【図６】ランプ体が引き出された状態のバネと微動スイッチの非係合状態を示す断面図。
【考案を実施するための形態】
【００１８】
以下、図面と実施例を結び付けながら、本考案についてさらに詳細に説明する。
【００１９】
図１〜４に示すのは、本考案の伸長式の屋外用筒型防水ランプの好ましい実施例の１つである。この筒型ランプは、ランプ筒１と、ランプ体２と、ランプ蓋３と、を含む。ランプ蓋３は、ランプ体２の上端に固定され、ランプ体２は、上下に伸縮可能にランプ筒１内に設置されている。ランプ体２の底部には、スイッチ台２４が設けられており、スイッチ台２４内には、ランプ管のオン・オフを制御する微動スイッチ２５が設けられている。微動スイッチ２５に対応するように、ランプ筒１内の底面には、バネ孔１５が設けられており、その中にはバネ１４が取り付けられている。これにより、バネ１４と微動スイッチ２５のスイッチ弾性片は、接触又は乖離して協働する。図６に示すように、ランプ体２が引き上げられて伸長した時、微動スイッチ２５はバネ１４から離れ、照明回路が繋がる。図５に示すように、ランプ体２がランプ筒１内に引っ込められた時、微動スイッチ２５とバネ１４が当接し、照明回路が遮断される。
【００２０】
具体的な構造は、以下である。ランプ筒１は、上下が開口した円筒形の構造であり、ランプ筒１の下端には、底蓋４が密封状態で接続されている。バネ１４は、底蓋４の上端面の中心位置にあるバネ孔１５内に設けられている。ランプ体２は、円筒形のランプカバー２１と、ランプフレーム２２と、ランプ管２６と、を含み、ランプカバー２１、ランプフレーム２２、ランプ管２６は、外側から内側にこの順で配置され、且つ同軸に設けられている。また、ランプカバー２１、ランプフレーム２２、ランプ管２６は、組み立てられた後、接続蓋２３を介して、上端にあるランプ蓋３に固定される。スイッチ台２４は、ランプ管の下端、つまりランプ体２の底部に設置されている。ランプカバー２１は、円筒形の透明なカバーである。ランプフレーム２２は、底部が円形、中心部が中空円柱形の構造であり、ランプ管は、ランプフレーム２２の中心部の中空円柱の中に挿入されている。ランプカバー２１の下端には、外径が小さくなった挿入部分が成型されている。ランプフレーム２２の円形底板２２１の外周には、ランプカバー２１の挿入部分を差し込んで位置決めするための環形凹溝２２２が成型されている。挿入部分の外側にある段差面と環形凹溝２２２の上端面の間には、ランプ筒１の内壁と当接する第１シールリング１０が嵌め込まれている。ランプ筒１の上端開口の箇所には、内側に折り返されたストッパーリング１１が設けられている。ストッパーリング１１には、ガイド溝１２が縦方向に形成されており、ランプカバー２１の外周面には、ガイド溝１２に対応するガイドリブ２１１が縦方向に設けられている。ランプフレーム２２の円形底板２２１の外径は、ストッパーリング１１の内径よりも大きく、ランプ筒１の内径と適合するので、ランプ体２が引き上げられて伸長した時に、ランプフレーム２２の円形底板２２１がストッパーリング１１と当接して、ランプ体２の移動が制限される。第１シールリング１０が設けられていることにより、ランプ体２が引き出された時に、ランプ筒１に水が入るのを効果的に防ぐ。ランプカバー２１の上端の外側には、ランプ筒１のストッパーリング１１と係合する弾性止め輪（図示せず）が設けられている。ランプ体２がランプ筒１に挿入された時に、弾性止め輪とストッパーリング１１とが当接することにより、ランプ体２は位置決めされる。
【００２１】
ランプカバー２１の上端及びランプフレーム２２の上端には、円形の接続蓋２３が突合している。接続蓋２３の上端の中心部には、凹んだ円形溝２３１が成型されており、円形溝２３１は下方に突出して、ランプカバー２１の上端が外嵌する円形凸部を形成する。円形溝２３１の中心部には、ランプフレーム２２の中心部の中空円柱に対応する中空部２３２が形成されている。ランプフレーム２２の中心部の中空円柱の上端には、接続孔２２３が形成されており、接続蓋２３には、接続孔２２３に対応する挿通孔２３３が形成されている。接続蓋２３は、ランプカバー２１の上端及びランプフレーム２２の上端に設置され、ネジによりランプフレーム２２と固定される。こうして、ランプカバー２１も固定される。接続蓋２３の上端面には、ランプ蓋３と接続される接続柱２３４が周方向に突設されており、ランプ蓋３には、接続柱２３４に対応する接続挿通孔３２が設けられていて、接続蓋２３は、ネジによりランプ蓋３の下端面に固定される。ランプ筒１の上端面の外縁には、環形段差が凹設されており、ランプ体２がランプ筒１内に引っ込められた時、ランプ蓋３は、ランプ筒１の環形段差とぴったり突合し、ランプ筒１を覆う。このようにして、使用しない時に水がランプ筒１内に入るのを防ぐことができる。ランプ蓋３の上端には、円形凹状空洞部が成型されており、円形凹状空洞部の中心部に、電池を入れるための四角形の電池ボックス３１が設けられている。電池は電池ボックス３１内に入れられ、回路板、ランプ管２６、微動スイッチ２５と電気的に接続されて、照明回路を構成する。ランプ蓋３の上端には、天井蓋５が密封状態で接続されている。ランプ蓋３の上端の円形凹状空洞部の内壁には、雌ネジ山接続部分が成型されており、雌ネジ山接続部分の上端外周には、縮径段差が設けられている。天井蓋５には、ランプ蓋３の雌ネジ山接続部分に対応する雄ネジ山接続部分が設けられており、天井蓋５は、螺合によりランプ蓋３を覆う。天井蓋５の上方には、装飾蓋６が設けられており、装飾蓋６は、天井蓋５の外側にあるランプ蓋３の上端を覆って、縮径段差と当接する。ランプ蓋３の上端と天井蓋５の外壁、装飾蓋６の内壁との間には、第２シールリング２０が設けられており、装飾蓋６と第２シールリング２０が二重の防水効果を奏し、水がランプ体２内と電池ボックス３１内に浸入するのを防ぐ。
【００２２】
底蓋４は、外蓋４１と内蓋４２とから成る。ランプ筒１の下端の外周には雄ネジ山が、外蓋４１には、雄ネジ山に対応する雌ネジ山が設けられており、底蓋４は、螺合によりランプ筒１の下端に固定される。ランプ筒１の下端の側壁と底蓋４の間には、第３シールリング３０が設けられている。第３シールリング３０を設けるのは、底部に水が入ることを防止し、防水性能をさらに向上させるためである。ランプ蓋３の上端には、持ち手７が設けられている。持ち手７は左右に１つずつあり、それぞれランプ蓋３の上端の左側、右側に１８０度回動可能に取り付けられている。
【００２３】
使用する時は、ランプ体２を上に引き出して、ランプ体２の底部の微動スイッチ２５と底蓋４のバネ１４を離すと、照明回路が繋がり、ランプ管がオンになる。照明が不要な時は、ランプ体２を下に押して、ランプ体２をランプ筒１内に引っ込めると、微動スイッチ２５とバネ１４が当接し、照明回路が遮断され、ランプ管がオフになる。このランプは、置いて使用できるほか、手に提げたり、引っ掛けたりして使用することもできる。
【００２４】
以上は、単に本考案の好ましい実施形態を述べたのみであり、当業者は、本考案の技術原理を逸脱しない限り、若干の変更や改良を行うことができ、これらの変更や改良も本考案の保護範囲であるとみなされるべきである。
【先行技術文献】
【特許文献】
【００２５】
【特許文献１】中国実用新案登録第２０１０２０２６３９８８．８号
【特許文献２】中国実用新案登録第２０１９２０１６８７１０．３号
【図１】
0003235207.tif 000003
【図２】
0003235207.tif 000004
【図３】
0003235207.tif 000005
【図４】
0003235207.tif 000006
【図５】
0003235207.tif 000007
【図６】
0003235207.tif 000008